(57)【特許請求の範囲】
【請求項１】
左右のスキー靴を別々に収納、保護するスキー靴用カバーで、形状はスキー靴の外形に対応した靴下形状であり、カバー本体には把持部を有さず、カバー後背部には開閉手段を備えた開口部を有し、この開口部の上部には、通常、スキー滑走時にバックルとともに脛締め用具としてスキー靴に備え付けられているパワーベルトを外側に通すための常時開口している開閉手段を持たない部分を有し、この部分から左右のパワーベルトを外側に通し、外側に通された左右各々のパワーベルトの面ファスナー部分を互いに連結することにより、これを把持部として機能させるものとし、更に、スキー靴用カバー開口部の開閉手段は二つに分割されており、開閉手段を有さない間隔部分は開口部の中央付近に設けられていることを特徴としたスキー靴用カバー。
【請求項２】
スキー靴用カバーの靴底部分には縫製を施さず、平たんな構造で、安定して置くことができることを特徴とした請求項１記載のスキー靴用カバー。
【請求項３】
スキー靴用カバーの素材には、軽く、加工しやすく、安価で、調達しやすく、多彩なデザインがあり、撥水性及び速乾性があり、汚れても洗えるようなフリース（ポリエステルで作られた柔らかい起毛仕上げの繊維素材）布地を用いることを特徴とした請求項１又は２記載のスキー靴用カバー。
【請求項４】
スキー靴用カバー開口部の開閉手段には、寒冷地で手袋装着時でも容易に脱着できるような、雌雄面ファスナーを用いることを特徴とした請求項１乃至３の何れかに記載のスキー靴用カバー。
【発明の詳細な説明】
【技術分野】
【０００１】  本発明は、スキー靴を収納、保護、運搬するための靴下形状のスキー靴用カバーに関するものである。
【背景技術】
【０００２】  従来のスキー靴収納具はスキー靴一式を手提げ袋に収納する方法が公知である。【０００３】  特許文献１のように、スキー靴を左右片方ずつ個別に収納する場合は、収納袋を左右対称に並べて把持部によって吊下したスキー靴収納具がある。【０００４】  スキー靴を収納袋に入れずに運搬する場合、従来、左右のスキー靴のパワーベルトの雌雄面ファスナー同士を連結させて、当該部分を直接持ったり、肩から下げて運搬したりする方法が広く知られていた。【０００５】
【特許文献１】特開２００１−５４４１７号公報
【発明の開示】
【発明が解決しようとする課題】
【０００６】  従来は、スキー靴用の把持部を有しない収納、保護、運搬するためのカバーは存在しなかった。【０００７】  従来は、スキー靴を収納、保護、運搬する手段として、把持部付きの手提げ袋等があった。しかし、これらの方法では重いスキー靴を運搬する場合、靴の総重量が把持部に集中するため、女性や子供が持ち運ぶには重く嵩張る構造だった。【０００８】  スキー靴を左右別々の袋に収納する製品も存在するが、袋上部を連結して把持部によって吊下する構造をとるため、結局スキー靴の総重量が把持部にかかる。したがって、上述と同様に、重く嵩張り、女性や子供には負担のかかる方法であった。【０００９】  また、把持部を持って運搬する従来の収納具は、手提げ方式であるために片方の手が塞がり不便である。特に、スキー板、スキーストック、スキー用手袋、ゴーグル、帽子又はヘルメット等の道具と共に運搬する時に片手が塞がると非常に不便である。【００１０】  従来のスキー靴収納袋の開閉手段に使われていたスライドファスナーは、寒冷地においてスキー用手袋や軍手をしたままでは開閉しにくいという問題点があった。【００１１】  また、スライドファスナーが噛んだ場合、直すのが困難であり、特にスキー場等の寒冷地では復元することが難しい。【００１２】  上記のスライドファスナーが壊れて付け替える場合は、左右のファスナーを布地から取り外し、新しいものと全交換し、縫製し直さなければいけないため、経費と時間がかかってしまう。【００１３】  従来のスキー靴収納袋は、スキー靴の重量を靴底面と把持部で支える構造のため、素材はナイロン等の丈夫なものに限定されていた。これらのナイロン生地は丈夫で壊れにくいという利点を持つが、一方で、厚みがあり重く嵩張るという難点がある。【００１４】  さらに、従来のスキー靴収納袋は、素材や構造の特徴、スライドファスナー、中敷き等の附属品が阻害要因となり、不使用時に小さく折り畳むことが難しく、ポケットなどに入れて携帯することがほぼ不可能だった。【００１５】  従来のスキー靴収納袋は、単色のものがほとんどであった。紺色や黒色の袋は地味で、消費者の購買意欲を駆り立てるようなデザインではなかった。【００１６】  スキー靴を収納袋に入れずに運搬する場合、従来は左右のスキー靴のパワーベルトの雌雄面ファスナー同士を連結させて、当該部分を直接持ったり肩から下げて運搬したりする方法が広く知られていた。しかし、この方法を用いる場合、左右のスキー靴が相互にぶつかり合い、バックル等でスキー靴に傷がついてしまう。また、特にスキー滑走後の運搬では、スキー靴の濡れや汚れがスキーウエアに付着するという不便さがあった。【００１７】  さらに、収納袋に入れずにパワーベルトを連結して運搬する方法ではスキー靴の内部に雨や雪が侵入してしまうことがあるという問題点があった。【００１８】  本発明は、これらの課題を鑑みてなされたものである。
【課題を解決するための手段】
【００１９】  本発明は、スキー靴収納手提げ袋ではなく、スキー靴専用の収納、保護、運搬カバーであり、把持部を必要としない構造とする。【００２０】  左右のスキー靴を別々に収納、保護するスキー靴用カバーで、形状はスキー靴の外形に対応した靴下形状であり、カバー本体には把持部を有さず、カバー後背部には開閉手段を備えた開口部を有し、この開口部の上部には、通常、スキー滑走時にバックルとともに脛締め用具としてスキー靴に備え付けられているパワーベルトを外側に通すための常時開口している開閉手段を持たない部分を有し、この部分から左右のパワーベルトを外側に通し、外側に通された左右各々のパワーベルトの面ファスナー部分を互いに連結することにより、これを把持部として機能させる。【００２１】  スキー靴用カバー開口部の開閉手段は二つに分割されており、開閉手段を有さない間隔部分は開口部の中央付近に設けられる。【００２２】  スキー靴用カバーの靴底面にあたる部分には縫製を施さず、平たんな構造で、安定して置くことができる構造とする。【００２３】  スキー靴用カバーの素材には、軽く、加工しやすく、安価で、調達しやすく、多彩なデザインがあり、撥水性及び速乾性があり、汚れても洗えるようなフリース（ポリエステルで作られた柔らかい起毛仕上げの繊維素材）布地を用いる。【００２４】  スキー靴用カバー開口部の開閉手段には、寒冷地で手袋装着時でも容易に脱着できるような、雌雄面ファスナーを用いる。
【発明の効果】
【００２５】  従来、スキー靴用の把持部を有しない収納、保護、運搬カバーは存在しなかったため、上述のような問題点があった。本発明はこれらの問題点を一度に解決したものである。【００２６】  これらの問題を解決するために、本発明は、把持部を有さず、かつ、スキー靴を直接被覆する構造とした。運搬する場合は、スキー靴に附属するパワーベルト部分を持つため、把持部は必要としない。さらに、把持部を必要としない構造のため、余計な縫製部分が不要となり、生地の節約、製造コストの削減及び簡略化といった付加価値も得られる。【００２７】  従来のスキー靴収納袋は、スキー靴の重量を靴底面と把持部で支える構造のため、素材はナイロン等の丈夫なものに限定されていた。これらのナイロン生地は丈夫で壊れにくいという利点を持つが、一方で、厚みがあり重く嵩張るという難点があった。本発明では、スキー靴の負荷が直接カバーにかかることがないので、カバーの素材に丈夫な生地を用いる必要がない。よって、カバーの素材には、軽く、加工しやすく、安価で、調達しやすく、多彩なデザインがあり、撥水性及び速乾性があり、汚れても洗うことができるような生地を選んで用いることができる。最適な生地の例としてフリース（ポリエステルで作られた柔らかい起毛仕上げの繊維素材）布地などが挙げられる。【００２８】  スキー靴を左右別々の袋に収納する従来の収納具は、附属する把持部によって連結して吊下する構造をとることに対して、本発明は左右が完全に独立、分離しているため、利用する際に左右の区別を必要としない。【００２９】  また、把持部を持って運搬する従来の収納具は、手提げ方式であるために片方の手が塞がってしまうという不便さが否めなかったが、本発明は、手提げ袋に収納するのではなく、左右のスキー靴にそれぞれカバーを装着したままで、パワーベルト部分を直接手に持ったり、肩から掛けて運搬したりすることができるので、従来の手提げ式と比較して、安全かつ効果的に運搬できる。特に、スキー板、スキーストック、スキーグローブ、ゴーグル、帽子又はヘルメット等の道具と共に運搬する時には、道具同士がぶつかって傷がつく事態を回避できるとともに、周囲の人やモノに汚れが付くことを回避できる。【００３０】  従来のスキー靴収納袋の開閉手段に使われたスライドファスナーは、寒冷地でスキー用手袋や軍手をしたままでは開閉しにくいという問題点があった。しかし、本発明は、開閉手段に雌雄面ファスナーを用いるため、寒冷地やスキー場でスキー用手袋や軍手をしたままでも容易に開閉を可能にした。【００３１】  スキー靴用カバー開口部の開閉手段は二つに分割されており、開閉手段を有さない間隔部分は開口部の中央付近に設けられる。この部分に指をかけて開閉操作を容易に行うことができる。【００３２】  スキー靴用カバー開口部は、開閉手段を持たない部分を有するため、従来のスキー靴収納袋に比べて通気性に優れているという特長がある。したがって、濡れたスキー靴を収納、運搬する場合にも、湿気が中に籠りにくい。【００３３】  スライドファスナーが噛んだ場合、直すのが困難であり、特にスキー場等の寒冷地でこのことが起こると不便である。本発明は、開閉手段に雌雄面ファスナーを用いることで、壊れにくく、雪や泥などの汚れにも強く、子供から年配者まで手軽に取り扱うことができる。【００３４】  本発明で用いている雌雄面ファスナーは、従来の開閉手段であるスライドファスナーと比較して、破損した場合に付け替えが容易であり、経費と時間を節約できる。【００３５】  従来のスキー靴収納袋は、素材や構造の特徴、スライドファスナー、中敷き等の附属品が阻害要因となり、不使用時に小さく折り畳むことが難しく、ポケットなどに入れて携帯することがほぼ不可能だったが、本発明は、カバー本体が柔軟かつ軽量であることから、折り畳みが容易であり、不使用時の携帯にも優れている。【００３６】  従来のスキー靴収納袋は、単色のものがほとんどであった。紺色や黒色の袋は地味で、消費者の購買意欲を駆り立てるようなデザインではなかった。一方、本発明において生地にフリース（ポリエステルで作られた柔らかい起毛仕上げの繊維素材）布地を使用した場合、多彩なデザインのバリエーションを選択することが可能であり、全体としてのアクセントを演出することができる。勿論、軽く、柔らかく、かつ丸洗いが容易な布地であればよいから、フリース布地に限定されるものではないことはいうまでもない。【００３７】  スキー靴を収納袋に入れずに運搬する場合、従来は左右のスキー靴のパワーベルトの雌雄面ファスナー同士を連結させて、当該部分を直接持ったり肩から下げて運搬したりする方法が広くとられていた。しかしこの方法では、左右のスキー靴が相互にぶつかり合い、バックル等でスキー靴に傷がついてしまう。また、特にスキー滑走後の運搬では、スキー靴の濡れや汚れがスキーウエアに付着するため、より神経を使わなければならないという不便さがあったが、本発明は、左右のスキー靴がそれぞれカバーで覆われているので、人や物に傷や汚れが付くことを防ぐことができる。【００３８】  左右のスキー靴を独立して収納するので、従来のスキー靴収納具よりコンパクトにスポーツバッグ等に収納できる。また、他の収納物と一緒に梱包しても、スキー靴本体はもとより、周辺物が汚れたり破損したりする心配がない。【００３９】  尚、本発明は、スキー靴の収納、保護、運搬を目的としてなされたものであるが、アルペン用スノーボードブーツ等、スキー靴に準じた形状を持つものであれば、同様に収納、保護、運搬することができることは自明である。
【発明を実施するための最良の形態】
【００４０】  本発明の実施の形態を図１から図９に基づいて説明する。【００４１】  図１は、１はカバー本体で、２ａ及び２ｂはカバー本体の後背部分４箇所に縫製された二対の雌雄面ファスナーである。折り返し線３は靴底部分になる。【００４２】  図２は、１はカバー本体で、２はカバー本体の後背部分４箇所に縫製された二対の雌雄面ファスナー２で、２ａは雌面ファスナー、２ｂは雄面ファスナーある。靴下形状のカバーの後背部分が開口部４になっている。【００４３】  図３は、５はスキー靴本体で、装着の方向を示している。スキー靴をカバーの後背部分から装着する。【００４４】  図４は、スキー靴本体５にカバーを装着し、雌雄面ファスナー２で閉じ、上部からパワーベルト６を外側に通した状態を表している。【００４５】  図５は、本カバー１に縫製された二対の雌雄面ファスナー２の間隔部分に指をかけて、カバー開口部を開閉する要領を示している。【００４６】  図６は、図４の左右のスキー靴のパワーベルト６の雌雄面ファスナー同士を連結したものである。【００４７】  図７は、スポーツバッグ等７への収納例である。【００４８】  図８および図９は、パワーベルト６部分を持ってスキー靴を運搬する場合の実用例である。図８は、手に持つ場合である。図９は、肩にかける場合である。
【図面の簡単な説明】
【００４９】
【図１】本発明の展開図である。
【図２】本カバーの外観図である。
【図３】本カバーに、スキー靴を着脱する方向を示した外観図である。
【図４】本カバーに、スキー靴を着脱した状態を示した外観図である。
【図５】本カバーに縫製された二対の雌雄面ファスナーの間隔部分に指をかけてカバー開口部を開閉する要領を示した外観図である。
【図６】図４の左右のスキー靴のパワーベルト同士を連結した外観図である。
【図７】図４の左右のスキー靴をスポーツバッグ等に収納した状態を示す外観図である。
【図８】図６のパワーベルト部分を持って移動する場合の実施例である。
【図９】図６のパワーベルト部分を肩にかけて移動する場合の実施例である。
【符号の説明】
【００５０】  １    カバー本体
２    面ファスナー
２ａ  雌面ファスナー
２ｂ  雄面ファスナー
３    折り返し線
４    開口部
５    スキー靴本体
６    パワーベルト
７    スポーツバッグ等
【要約】
【課題】従来、スキー靴のパワーベルト同士を連結して運搬する場合に適当なカバーが存在しなかった。スキー靴を運搬する場合は、把持部を有する手提げ袋に依っていたため、その素材はスキー靴の負荷に耐えうるナイロン製等の丈夫なものに限定され、収納や移動の際に袋が嵩張るという難点があった。
【解決手段】左右のスキー靴を別々に収納、保護するスキー靴用カバー本体１を装着する。カバーの形状はスキー靴の外形に対応した靴下型であり、カバー後背部には開閉手段を備えた開口部４を有し、開口部の上部にはスキー靴のパワーベルト６を通せる部分を設ける。開口部の開閉手段は二つに分割されており、開閉手段を有さない間隔部分は開口部の中央付近に設ける。カバーの靴底部分となる折り返し線には縫製を施さず、平たんな構造とする。カバー開口部の開閉手段には、寒冷地で手袋装着時でも容易に脱着できる雌雄面ファスナー２を用いる。素材にはフリース布地を用いる。
【選択図】図３【図１】
0004186086.tif 000002
【図２】
0004186086.tif 000003
【図３】
0004186086.tif 000004
【図４】
0004186086.tif 000005
【図５】
0004186086.tif 000006
【図６】
0004186086.tif 000007
【図７】
0004186086.tif 000008
【図８】
0004186086.tif 000009
【図９】
0004186086.tif 000010